(57)【特許請求の範囲】
【請求項１】
透明樹脂製の円筒管からなり、長さ方向に沿って互いに所定の間隔を存して形成され、Ｘ線造影可能な複数の目盛りを備える脳神経外科手術用リトラクターにおいて、
該目盛りは金属めっき層からなり、前記金属めっき層は、無電解めっき層と、該無電解めっき層上にイオンプレーティングにより形成された金属層若しくは金属化合物層又は、無電解めっき層と、該無電解めっき層上に形成された金属粉末を含む塗膜とからなることを特徴とする脳神経外科手術用リトラクター。
【請求項２】
請求項１記載の脳神経外科手術用リトラクターにおいて、前記イオンプレーティングにより形成された金属層又は金属化合物層は、Ｚｒ、Ｔａ又はそれらとＣ、Ｎ、Ｏからなる群から選択される少なくとも１種の元素との化合物からなることを特徴とする脳神経外科手術用リトラクター。
【発明の詳細な説明】
【技術分野】
【０００１】
本発明は、内視鏡下脳内血腫除去術等の脳神経外科手術に用いられる脳神経外科手術用リトラクターに関する。
【背景技術】
【０００２】
代表的な脳神経疾患の１つに脳内血腫がある。前記脳内血腫は出血した血液が脳内で塊となったものであり、頭蓋内圧を亢進させる。そこで、生命が危険に晒される場合には、前記脳内血腫を除去することがある。
【０００３】
前記脳内血腫を除去する方法のひとつに、内視鏡下脳内血腫除去術がある。前記内視鏡下脳内血腫除去術は、まず、穿頭術により頭蓋骨に形成された直径１０ｍｍ程度の孔部から脳内血腫まで円筒形のリトラクターを穿刺し、該リトラクターの内部に内視鏡及び吸引管を挿入する。そして、前記内視鏡により患部を観察しながら、前記吸引管により前記脳内血腫を吸引除去する。
【０００４】
従来、前記リトラクターとして、透明樹脂からなり外面の長さ方向に沿って目盛りを付けたものが知られている（例えば、特許文献１参照）。
【０００５】
前記従来のリトラクターによれば、脳に穿刺する際に、外部から前記目盛りを視認することにより、脳表から該リトラクターの先端までの距離を認識することができ、目標とする深さに確実に穿刺することができる。
【先行技術文献】
【特許文献】
【０００６】
【特許文献１】特開２０００−３２５３５６号公報
【発明の概要】
【発明が解決しようとする課題】
【０００７】
しかしながら、前記従来のリトラクターでは、Ｘ線照射により患部を三次元的に解析しようとするときに、前記目盛りを造影することができないので、確実な治療が困難になるという不都合がある。
【０００８】
本発明は、かかる不都合を解消して、Ｘ線照射により患部を三次元的に解析するときに確実な治療を行うことができる脳神経外科手術用リトラクターを提供することを目的とする。
【課題を解決するための手段】
【０００９】
かかる目的を達成するために、本発明は、透明樹脂製の円筒管からなり、長さ方向に沿って互いに所定の間隔を存して形成され、Ｘ線造影可能な複数の目盛りを備える脳神経外科手術用リトラクターにおいて、該目盛りは金属めっき層からなり、前記金属めっき層は、無電解めっき層と、該無電解めっき層上にイオンプレーティングにより形成された金属層若しくは金属化合物層又は、無電解めっき層と、該無電解めっき層上に形成された金属粉末を含む塗膜とからなることを特徴とする。
【００１０】
本発明の脳神経外科手術用リトラクターによれば、前記金属めっき層からなる目盛りを備えることにより、脳に穿刺する際に脳表から該リトラクターの先端までの距離を目視により確認することができ、目標とする深さに確実に穿刺することができる。また、前記金属めっき層からなる目盛りはＸ線造影可能であるので、Ｘ線照射により患部を三次元的に解析するときに、該目盛りにより該リトラクターと患部との相互位置を容易に把握することができ、確実な治療を行うことができる。
【００１１】
尚、本願において、「金属めっき」とは、金属原子、金属微粒子、金属粉末、金属化合物等により対象物上に形成された被膜を意味する。
【００１２】
本発明の脳神経外科手術用リトラクターにおいて、前記金属めっき層は、無電解めっき層と、該無電解めっき層上にイオンプレーティングにより形成された金属層又は金属化合物層とからなるものとすることができる。前記イオンプレーティングにより形成された金属層又は金属化合物層としては、Ｚｒ、Ｔａ又はそれらとＣ、Ｎ、Ｏからなる群から選択される少なくとも１種の元素との化合物からなるものを挙げることができる。
【００１３】
また、本発明の脳神経外科手術用リトラクターにおいて、前記金属めっき層は、無電解めっき層と、該無電解めっき層上に形成された金属粉末を含む塗膜とからなるものであってもよい。
【００１４】
前記金属めっき層は、前記無電解めっき層上に、前記イオンプレーティングにより形成された金属層若しくは金属化合物層、又は前記金属粉末を含む塗膜を備えることにより、該金属層又は塗膜を前記透明樹脂製の円筒管の表面に強固に結合させることができ、摩擦等による剥落を防止することができる。
【図面の簡単な説明】
【００１５】
【図１】本発明の脳神経外科手術用リトラクターの構成を示す模式的斜視図。
【図２】本発明の脳神経外科手術用リトラクターの製造方法を示し、（Ａ）は第１工程、（Ｂ）は第２工程、（Ｃ）は第３工程をそれぞれ示す模式的斜視図。
【発明を実施するための形態】
【００１６】
次に、添付の図面を参照しながら本発明の実施の形態についてさらに詳しく説明する。
【００１７】
まず、図１を参照して、本実施形態の脳神経外科手術用リトラクター１について説明する。
【００１８】
本実施形態の脳神経外科手術用リトラクター１は、透明樹脂製の円筒管２と、円筒管２の外周面に周方向に沿って形成された複数の帯状の金属めっき層３とを備えている。ここで、金属めっき層３は円筒管２の長さ方向に沿って互いに所定の間隔を存して形成されて、Ｘ線造影可能な目盛り４を構成している。
【００１９】
円筒管２を構成する透明樹脂として、例えば、テトラフルオロエチレン−パーフルオロアルキルビニルエーテル共重合体（ＰＦＡ）、テトラフルオロエチレン−ヘキサフルオロプロピレン共重合体（ＦＥＰ）等のフッ素樹脂を挙げることができる。
【００２０】
金属めっき層３は、例えば、無電解めっき層と、該無電解めっき層上にイオンプレーティングにより形成された金属層又は、該無電解めっき層上に形成された金属粉末を含む塗膜とからなる。
【００２１】
次に、図２を参照して、脳神経外科手術用リトラクター１の製造方法について説明する。
【００２２】
脳神経外科手術用リトラクター１を製造するときには、まず、図２（Ａ）に示すように、円筒管２の内部に金属（例えばステンレス）製の丸棒５を配置する。ここで、円筒管２の内径は丸棒５の外径よりも大きく設定されており、円筒管２と丸棒５との間には空隙Ｓが形成されている。
【００２３】
次に、図２（Ｂ）に示すように、円筒管２を加熱することにより熱収縮させ、丸棒５に密着させる。円筒管２は、例えばＰＦＡ又はＦＥＰからなり、熱収縮させて丸棒５に密着させることにより、円筒管２の内径を丸棒５の外径に一致させることができる。
【００２４】
従って、丸棒５の外径を調整することにより、脳神経外科手術用リトラクター１の内径を容易に所望の寸法とすることができる。脳神経外科手術用リトラクター１の内径は、例えば、内視鏡と吸引管とを同時に挿入できる寸法とすることができる。
【００２５】
次に、図２（Ｃ）に仮想線で示すように、円筒管２の外周面に周方向に沿って複数の金属めっき層３を形成する。
【００２６】
円筒管２の表面に金属めっき層３を形成するときは、まず、金属めっき層３を形成する部分を除いてマスキングした円筒管２を陽イオン性界面活性剤水溶液中に浸漬し、水洗、乾燥する。次に、浸漬処理した円筒管２を貴金属ゾル中に浸漬することにより、円筒管２の外周面に、該貴金属ゾル中に存在する貴金属が固定される。次に、前記貴金属ゾルに浸漬処理した円筒管２を水洗、乾燥した後、無電解めっき液に浸漬することにより無電解めっき層を形成する。
【００２７】
前記陽イオン性界面活性剤としては、第４級アンモニウム塩型陽イオン性界面活性剤を用いることができる。第４級アンモニウム塩型陽イオン性界面活性剤として、例えば、アルキルトリメチルアンモニウム塩、ジアルキルジメチルアンモニウム塩、アルキルジメチルベンジルアンモニウム塩、アルキルピリジニウム塩等を挙げることができる。
【００２８】
第４級アンモニウム塩型陽イオン性界面活性剤は、炭素数が１２〜２２程度の長鎖４級アンモニウム化合物が好ましく、具体的には、塩化ステアリルトリメチルアンモニウム、臭化ヘキサデシルトリメチルアンモニウム、塩化ドデシルトリメチルアンモニウム等を挙げることができる。
【００２９】
前記陽イオン性界面活性剤水溶液は、０．０１〜１質量％の範囲の濃度とすることが好ましい。前記濃度が０．０１質量％未満では、前記陽イオン性界面活性剤水溶液を浸漬処理した円筒管２を前記貴金属ゾル中に浸漬したときに、円筒管２の外周面に前記貴金属を固定する効果を得ることが難しく、１質量％を超えるとコスト増となることが避けられない。
【００３０】
前記貴金属ゾルは、貴金属ヒドロゾルであることが好ましく、例えば、水中で貴金属塩を還元剤で還元することにより調製することができる。
【００３１】
前記貴金属塩としては、塩化白金（ＶＩ）酸、塩化パラジウム（ＩＩ）、塩化ロジウム（ＩＩＩ）、塩化ルテニウム（ＩＩＩ）、硝酸銀（Ｉ）等を挙げることができる。また、前記還元剤としては、水素化ホウ素ナトリウム、水素化ホウ素カリウム、ジメチルアミンボラン、ヒドラジン、ホルムアルデヒド、クエン酸三ナトリウム等を挙げることができる。前記水中における貴金属の濃度は、１０００ｐｐｍ程度以下であることが好ましい。
【００３２】
また、前記貴金属塩を原料として貴金属ゾルを調製するときには、安定剤を存在させることが好ましい。前記安定剤として、ポリビニルピロリドン、ポリビニルアルコール、ゼラチン等の水溶性ポリマー、蔗糖、クエン酸三ナトリウム等を挙げることができる。前記安定剤は、１種または２種以上用いることができる。前記安定剤の使用量は、共存する貴金属塩の種類や量等によって変動するので一概に規定することができないが、例えば貴金属１質量部に対して０．１〜１０質量部とすることが好ましい。
【００３３】
前記無電解めっき液は、無電解めっき層を形成する金属含有化合物、還元剤、各種配合剤から形成される。
【００３４】
前記金属含有化合物としては、例えば、塩化金（ＩＩＩ）酸、臭化金（ＩＩＩ）酸及びこれらのアルカリ金属（Ｋ，Ｎａ）塩等の金ハロゲン化塩、硫酸ニッケル（ＩＩ）六水塩、硫酸銅（ＩＩ）五水塩、硫酸コバルト（ＩＩ）七水塩等を挙げることができる。前記無電解めっき液中における前記金属含有化合物の濃度は、例えば、１〜１００ｍＭの範囲とすることができる。
【００３５】
前記還元剤としては、次亜燐リン酸ナトリウム、過酸化水素、ジメチルアミンボラン、ヒドラジン、水素化ホウ素ナトリウム等を挙げることができる。前記無電解めっき液中における前記還元剤の濃度は、例えば、１〜１００ｍＭの範囲とすることが好ましい。
【００３６】
前記配合剤としては、例えば、界面活性剤、水溶性ポリマー、ｐＨ調整剤、緩衝剤、錯化剤等を挙げることができる。
【００３７】
円筒管２は、前記無電解めっき液に浸漬することにより前記無電解めっき層を形成した後、円筒管２を構成する材料のガラス転移点以上融点以下の温度で加熱処理することにより、該無電解めっき層を円筒管２の外周面に強固に結合させることができる。
【００３８】
次に、前述のようにして形成された前記無電解めっき層上に、さらにイオンプレーティングにより形成される金属層若しくは金属化合物層、又は金属粉末を含む塗膜を積層することにより、金属めっき層３とすることができる。
【００３９】
前記イオンプレーティングは、チャンバー内にターゲットとなる金属又は金属化合物と、前記のようにマスキングした円筒管２とを配置し、該チャンバー内の雰囲気を所定の真空度に維持した状態で、該ターゲットに電子ビームを照射してイオン化させる一方プラズマを発生させることにより行うことができる。
【００４０】
前記ターゲットとなる金属としては、例えば、Ｚｒ、Ｔａ等を挙げることができる。
【００４１】
前記雰囲気としては、例えば、アルゴン等の不活性ガスに、二酸化炭素、窒素、酸素等の原料ガスを添加したものを挙げることができる。前記真空度は、例えば、１０−３〜１０−５Ｐａの範囲とすることが好ましい。
【００４２】
前記電子ビームは、例えば、電子銃等により発生させることができる。前記電子銃の出力は、例えば、１．０〜３．０ｋＷの範囲とすることが好ましい。
【００４３】
この結果、前記イオンプレーティングにより、Ｚｒ、Ｔａ又はそれらとＣ、Ｎ、Ｏからなる群から選択される少なくとも１種の元素との化合物からなる金属層又は金属化合物層を形成することができる。
【００４４】
また、金属粉末を含む塗膜は、前記無電解めっき層上に、該金属粉末を含むペーストを塗布し、安定剤を含浸させた後、乾燥させることにより形成することができる。
【００４５】
前記金属粉末を含むペーストは、例えば、金、白金等の金属粉末を分散媒に添加し、撹拌して分散させ、静置した後、上澄みを除去することにより得ることができる。前記分散媒としては、１質量％−ゼラチン水溶液等を挙げることができる。また、前記安定剤としては１質量％−ゼラチン水溶液等を挙げることができる。
【００４６】
前述のようにして形成された金属めっき層３は、円筒管２の外周面に強固に結合しているため摩擦等により剥落することがなく、Ｘ線に対して良好な造影性を示すことができる。
【００４７】
本実施形態では、前述のようにして金属めっき層３を形成した後、前記マスキングを除去し、円筒管２から丸棒５を引き抜くことにより、図１に示す脳神経外科手術用リトラクター１を得ることができる。
【００４８】
本実施形態の脳神経外科手術用リトラクター１は、Ｘ線造影可能な複数の目盛り４を備えているが、さらに脳に穿刺する際に先端となる部分にＸ線造影可能なエンドマーク（図示せず）を備えていることが好ましい。前記エンドマークは、脳神経外科手術用リトラクター１において、目盛り４と同様にして形成することができる。
【００４９】
本実施形態の脳神経外科手術用リトラクター１は、例えば、内視鏡下脳内血腫除去術を行う際に、脳表から脳内血腫の位置まで穿刺され、円筒管２の内部に挿通される内視鏡及び吸引管を脳内血腫に案内する。このとき、脳神経外科手術用リトラクター１は目盛り４を備えるので、外部から目盛り４を視認することにより、脳表から脳神経外科手術用リトラクター１の先端までの距離を認識することができる。従って、脳神経外科手術用リトラクター１を脳内血腫の内部まで、確実に穿刺することができる。
【００５０】
また、目盛り４はＸ線造影可能であるので、Ｘ線照射により前記脳内血腫を三次元的に解析するときに、目盛り４により脳神経外科手術用リトラクター１と該脳内血腫との相互位置を容易に把握することができ、確実な治療を行うことができる。目盛り４には、前記エンドマークを基点として目盛り番号を付与してもよい。
【００５１】
さらに、脳神経外科手術用リトラクター１は透明樹脂製であるので、前記内視鏡を介して脳室内を観察することができ、出血の有無、脳内血腫の状態、脳内血腫の取り残しの有無等を容易に確認することができる。
【００５２】
尚、本実施形態では、前記無電解めっき層上に前記金属粉末を含む塗膜を積層することにより金属めっき層３としているが、金属めっき層３は該金属粉末を含む塗膜のみからなるものであってもよい。
【符号の説明】
【００５３】
１…脳神経外科手術用リトラクター、  ２…円筒管、  ３…金属めっき層、  ４…目盛り。
【図１】
0006366066.tif 000002
【図２】
0006366066.tif 000003